(57)【要約】【課題】紫外光を放射するエキシマランプを用いた人工歯根の有機汚染物除去装置において、エキシマランプからの紫外光が作業者に照射されることがなく、かつ、発生するオゾンによる影響を心配することがなく、人工歯根を効率的に安全に紫外光洗浄することのできる有機汚染物除去装置の構造を提供することである。【解決手段】エキシマランプが収納されたケーシングに放射光を外部に出射するための開口部が形成され、該開口部に着脱自在に取り付けられ、エキシマランプに対向する光入射部と人工歯根に対向する光出射部を有する紫外光透過性材料からなる照射ブロックが設けられていることを特徴とする。【選択図】  図２
2012000120.tif 000002
【特許請求の範囲】
【請求項１】
紫外光を放射するエキシマランプを用いた人工歯根の有機汚染物除去装置において、
エキシマランプが収納されたケーシングに放射光を外部に出射するための開口部が形成され、
該開口部に着脱自在に取り付けられ、エキシマランプに対向する光入射部と人工歯根に対向する光出射部を有する紫外光透過性材料からなる照射ブロックが設けられ、
前記光出射部が、該照射ブロックに形成した空所からなることを特徴とする人工歯根の有機汚染物除去装置。
【請求項２】
前記空所が、前記照射ブロックの外表面に開口した凹部であることを特徴とする請求項１に記載の人工歯根の有機汚染物除去装置。
【請求項３】
前記空所が、照射ブロックに穿設された中空孔であることを特徴とする請求項１に記載の人工歯根の有機汚染物除去装置。
【請求項４】
前記照射ブロックにおける前記光入射部および光出射部以外の外表面に紫外光遮断材が被覆されていることを特徴とする請求項１に記載の人工歯根の有機汚染物除去装置。
【請求項５】
前記紫外光遮断材は紫外光反射機能を有していることを特徴とする請求項４に記載の人工歯根の有機汚染物除去装置。
【発明の詳細な説明】
【技術分野】
【０００１】
この発明は、デンタルインプラントに用いられる人工歯根の有機汚染物除去装置に関するものであり、特に、エキシマランプから紫外光を照射して人工歯根の洗浄を行う有機汚染物除去装置に係わるものである。
【背景技術】
【０００２】
デンタルインプラントの施術において、人工歯根を紫外光によって洗浄して有機汚染物を除去することが知られていて、例えば、特許第３０７２３０３号の段落０００９には、波長１７２ｎｍのエキシマランプを用いて人工歯根の表面に付着した有機汚染物を除去することが記載されている。
しかしながら、この先行文献においては単にアイディアとしての記述がなされているだけであり、これを実現した具体的な装置構造が提案されているわけではない。
特に、エキシマランプの放射光は、人間が直視すると危険であり、かつ、紫外光によりオゾンが発生し、これが歯科医師等の作業者に悪影響を及ぼすなどの種々の問題があり、作業者が安全に使用できる装置の実現化が待たれている状況であった。
【先行技術文献】
【特許文献】
【０００３】
【特許文献１】特許第３０７２３０３号公報
【発明の概要】
【発明が解決しようとする課題】
【０００４】
この発明が解決しようとする課題は、紫外光を放射するエキシマランプを用いた人工歯根の有機汚染物除去装置において、エキシマランプから放射される紫外光を効率よく照射対象の人工歯根に照射できて、操作が簡便な人工歯根の有機汚染物除去装置の構造を提供することである。
【課題を解決するための手段】
【０００５】
上記課題を解決するために、この発明に係る有機汚染物除去装置は、エキシマランプが収納されたケーシングに放射光を外部に出射するための開口部が形成され、該開口部に着脱自在に取り付けられ、エキシマランプに対向する光入射部と人工歯根に対向する光出射部を有する紫外光透過性材料からなる照射ブロックが設けられるとともに、前記光出射部が照射ブロックに形成された空所からなることを特徴とする。
また、前記空所が、前記照射ブロックの外表面に開口した凹部であることを特徴とする。
また、前記空所が、照射ブロックに穿設された中空孔であることを特徴とする。
また、前記照射ブロックにおける前記光入射部および光出射部以外の外表面に紫外光遮断材が被覆されていることを特徴とする。
【発明の効果】
【０００６】
この発明の有機汚染物除去装置によれば、照射ブロックを介してエキシマランプからの紫外光を効率的に人工歯根に照射できて、付着した有機汚染物を効果的に除去することができ、しかも、該照射ブロックがケーシングに着脱自在に取り付けられているので、人工歯根の洗浄作業に先立って、予め該照射ブロックを取り外して容易に加熱滅菌処理をすることができる。
【０００７】
そして、光出射部が空所からなるので、当該空所内に挿入配置される人工歯根に効率的に集中して紫外光を照射して効果的に洗浄することができる。
また、照射ブロックには光入射部および光出射部以外の外表面に紫外光遮断材が被覆されているので、光出射部に対応して配置される人工歯根に効果的に紫外光を照射することができるとともに、それ以外の不所望な個所に紫外光が放射されることがなく、歯科医師等の作業者に照射されることがない。
【図面の簡単な説明】
【０００８】
【図１】本発明の有機汚染物除去装置の上面図。
【図２】図１のＸ−Ｘ断面図。
【図３】図２のＹ−Ｙ断面図。
【図４】異なる形状のエキシマランプによる他の実施例。
【図５】本発明における照射ブロックの種々の変形例。
【発明を実施するための形態】
【０００９】
図１は、本発明の人工歯根の有機汚染物除去装置の上面図であり、先端に人口歯根３０が取り付けられた歯科用電動ドリル３１も合わせて記載されている。
図２は、図１のＸ−Ｘ断面図であり、ケーシング１内にはエキシマランプ２が配設されている。該エキシマランプ２は、公知の形状のもので、この例では扁平形状の放電容器２ａの上下面に一対の外部電極２ｂ、２ｂが設けられた構造である。
ケーシング１の天板３には該エキシマランプ２に対向する位置に、放射光を外部に出射するための開口部４が形成されていて、該開口部４内に位置して照射ブロック５がケーシング１に対して着脱自在に設けられている。
該照射ブロック５は、紫外光透過性材料、例えば石英ガラスからなり、その下面、すなわち、エキシマランプ２に対向する面が光入射部５ａを構成し、上面、すなわち、人工歯根３０に対向する面が光出射部５ｂを構成する。
この照射ブロック５は、前記開口部４内に挿入される形でエキシマランプ２上に載置される。
なお、照射ブロック５はエキシマランプ２に直接載置するものとしたが、これに限られず、ケーシング１の天板３に着脱自在に係止する構造であってもよい。
【００１０】
ケーシング１の天板３には、前記照射ブロック５および人工歯根３０を覆うように開閉自在のブロックカバー７が設けられている。このブロックカバー７により、その内部に処理物収容部８が形成され、この中に処理物である人工歯根３０が収容される。
該ブロックカバー７は、エキシマランプ２からの少なくとも紫外光を遮断する紫外光遮断材料からなり、また、可視光を透過する材料であることが好ましい。そのような具体的な材料としては、例えば、アクリル樹脂、シクロオレフィンコポリマー樹脂、シクロオレフィンポリマー樹脂やポリカーボネート樹脂などを用いることができる。
紫外光遮断性であることにより、人工歯根の洗浄を行なう医師等の作業者に紫外光が照射されることを防止でき、また、可視光透過性であることにより、エキシマランプの点灯・不点灯を目視により確認することができる。
【００１１】
なお、同図においては、ブロックカバー７は蝶番９によって回動自在に設けられているものを示したが、単に天板３上に上方から載置されるものであってもよく、その場合は、図示しない、段差部などの適宜の位置決め用の手段を設けてもいい。
また、図３にも示されるように、このブロックカバー７には切り欠き７ａが形成されていて、照射ブロック５および照射洗浄位置にある人工歯根３０を覆うようにセットされたときこれらとの干渉することがないようにされている。
【００１２】
また、図２に示すように、ハウジング１内には、区画壁１０によってエキシマランプ２を収容するランプ収容部１１が区画形成されている。該ランプ収容部１１には排気管１２が接続されていて、ラプ収容部１１内を排気している。
なお、１４はエキシマランプ２の電源である。
【００１３】
図１を参照して、ケーシング１の天板３上には照射ブロック５の近傍に人工歯根３０の位置決め部材１５が着脱自在に設けられていて、この位置決め部材１５上に人工歯根３０を装着した電動ドリル３１の先端３１ａが位置されると、前記人工歯根３０は照射ブロック５上方の所定位置に位置決めされる。
より詳細には、同じく天板３上には人工歯根３０が装着されたドリル３１のための載置台１６、１７が着脱自在に設けられていて、当該載置台１６、１７上にドリル３１が載置され、その先端部３１ａが前記位置決め部材１５上にセットされると、人工歯根３０が照射ブロック５に対して位置決めされるものである。
【００１４】
上述した人工歯根の有機汚染物除去装置を用いた人工歯根の洗浄作業について、説明すると以下の通りである。
洗浄処理に先立って、照射ブロック５、位置決め部材１５、載置台１６、１７はケーシング１から取り外されて、予め加熱等により滅菌処理が施されている。滅菌処理された照射ブロック５を開口部４内に挿入してエキシマランプ２上に載置するとともに、位置決め部材１５、載置台１６、１７を天板３上に取り付ける。
次いで、洗浄する人工歯根３０が取り付けられたドリル３１を載置台１６、１７上に載置して、その先端部３１ａが位置決め部材１５にセットされると、人工歯根３０は照射ブロック５上にセットされる。
その後に、ブロックカバー７を閉めて人工歯根３０を処理物収容部８内に収容するように取り囲む。
【００１５】
次いで、図示しないファンを稼働するとランプ収容部１１内のガスは排気管１２を経て外部に排気される。
その後に、電源１４によりエキシマランプ２を点灯すると、該エキシマランプ２から、例えば１７２ｎｍのピーク波長を有する紫外光が出射される。
この紫外光は、光入射部５ａから照射ブロック５に入射し、ここを透過して光出射部５ｂから出射されて上方の人工歯根３０に照射される。このとき、人工歯根３０がドリル３１により微速回転されていると、その全周に万遍なく紫外光が照射されてむらなく洗浄される。
【００１６】
ブロックカバー７の紫外光遮断材料を可視光透過材料から構成した時には、エキシマランプ２からの可視光が該ブロックカバー７を介して外部に出射されるので、エキシマランプ２の点灯状態を目視により確認することができる。
【００１７】
人工歯根３０の洗浄が終了したら、電源１４からの給電を終了させ、エキシマランプ２を消灯したのちに、ブロックカバー７を開いて、人工歯根３０を取り出す。
人工歯根を取り出した後、別の患者に施術する場合には、少なくとも、人工歯根に接近または接触する照射ブロック５を滅菌しなければならない。
このとき、該照射ブロック５はケーシング１に対して着脱自在であるので、滅菌作業のための着脱が容易であり、更には、エキシマランプ２上に載置する構造としたときには、その脱着がより容易になる。また、エキシマランプ２と照射ブロック５の位置が極めて接近し、その間の空気（酸素）による紫外光の減衰がほとんど生じることがない。
【００１８】
上記実施例では、エキシマランプ２は扁平形状の放電容器としたが、これに限られず、円筒状の放電容器であってもよく、図４にはこの例が示されている。
円筒状の放電容器２ａの外周に外部電極２ｃが設けられ、その内部には内部電極２ｄが配置されている。
照射ブロック５の光導入部５ａは、放電容器２ａの形状に沿うように、円弧上に窪んでおり、この窪んだ光導入部５ａ内にエキシマランプ２が配置される。
【００１９】
本発明においては、図５に示すように、照射ブロック５に空所６を形成して光出射部５ｂとして、その内部に洗浄対象である人工歯根３０を挿入配置するものである。
前記空所６の形状は種々のものが採用されうるものであり、ここでは、照射ブロック５の外表面に開口する凹部６ａと、照射ブロック５に穿設された中空孔６ｂとが示されている。
即ち、図５（Ａ）に示すように、照射ブロック５の上面にはその外表面に開口する凹部６ａが形成されていて、該凹部６ａが光出射部５ｂを構成しており、洗浄時には、該凹部６ａ内に人工歯根３０が挿入配置される。
【００２０】
そして、該凹部６ａ（光出射部５ｂ）と光入射部５ａを除いた外表面５ｃには紫外光遮断材２０が被覆されている。これにより、エキシマランプ２からの紫外光が光出射部５ｂからのみ出射されるので、有効な洗浄効果がもたらされるとともに、それ以外の不所望な箇所に出射されないので作業者に紫外光が照射されることもない。
更には、この紫外光遮断材２０に紫外光反射機能をもたせたものを使用してもよく、こうすることにより紫外光遮断材で反射した紫外光を人工歯根に有効に照射することができ、エキシマランプからの紫外光を効率よく利用することができる。
このような紫外光遮断材２０としては、例えば、９９．９９％のアルミニウム蒸着膜で構成でき、この場合の膜厚は１００〜１５０μｍである。
【００２１】
なお、上記凹部６ａは、照射ブロック５の全長にわたって形成されていてもよいし、図５（Ｂ）に示すように、長さ方向の途中まで形成されている形態であってもよく、凹部６ａの長さ方向内に人工歯根３０が収まるものであればよい。
また、図５（Ｃ）に示すように、光出射部５ｂを構成する凹部６ａは照射ブロック５の上面に限られず、側面に形成されるものであってもよい。
【００２２】
また、図５（Ｄ）に示すように、照射ブロック５に中空孔６ｂを穿設し、該中空孔６ｂが光出射部５ｂを構成するものであってもよい。この場合には、照射ブロック５の光入射部５ａとなる中空孔６ｂを除く全外表面５ｃに紫外光遮断材２０が被覆されている。
また、この場合、図５（Ｅ）に示すように、照射ブロック５をその中空孔６ｂを通る切断線で２分割構造としてもよく、この場合には、図５（Ｄ）に示す一体構造のものに較べて、中空孔６内への人工歯根３０の挿入配置が容易になる。
【００２３】
洗浄時には人工歯根３０は空所６（凹部６ａ、中空孔６ｂ）内に挿入配置されるので、その全周囲から紫外光が照射されて有効な洗浄処理が行われる。
なお、人工歯根３０はドリル３１に装着された状態で照射ブロック５の空所６（光出射部５ｂ）に位置付けられるものとしたが、必ずしもドリル３１に装着された状態で処理されるとは限られず、照射ブロック５上に直接載置して処理するものであってもよい。ただこの場合には、当然のことながら、施術患者ごとに照射ブロック５の滅菌処理が必要となる。
【００２４】
また、上記の図５の実施例において、照射ブロック５の凹部６ａまたは中空孔６ｂ（光出射部５ｂ）を水平方向に形成し、これに人工歯根を水平に配置するものを示したが、これら凹部６ａや中空孔６ｂを縦方向に形成して、その深さ方向に人工歯根３０を挿入配置するものであってもよい。
【００２５】
以上説明したように、本発明に係る人工歯根の有機汚染物除去装置においては、エキシマランプを収容したケーシングの光取り出し用の開口部に、エキシマランプに対向する光入射部と人工歯根に対向する光出射部を有する紫外光透過性材料からなる照射ブロックが着脱自在に取り付けられていることから、エキシマランプからの紫外光を効率的に人工歯根に照射できて、付着した有機汚染物を有効に除去できるものである。また、照射ブロックは着脱自在なので、ケーシングから取り外して容易にその滅菌処理を行うことができる。
加えて、該照射ブロックには前記人工歯根が挿入配置される空所が形成され、該空所が前記光出射部を構成していることにより、洗浄時に人工歯根をこの空所内に挿入配置することによって、該人工歯根の周囲から紫外光を照射するので、効率的にその洗浄ができるものである。
また、前記照射ブロックにおける前記光入射部および光出射部以外の外表面に紫外光遮断材が被覆されているので、光出射部に対応して配置される人工歯根にのみ効果的に紫外光を照射できるとともに、歯科医師等の作業者に紫外光が照射されることがない。
【符号の説明】
【００２６】
１          ケーシング
２          エキシマランプ
２ａ        放電容器
２ｂ、２ｃ  外部電極
２ｄ        内部電極
３          天板
４          開口部
５          照射ブロック
５ａ        光入射部
５ｂ        光出射部
６          空所（光出射部）
６ａ        凹部（光出射部）
６ｂ        中空孔（光出射部）
７          ブロックカバー
８          処理物収容部
１０        区画壁
１１        ランプ収容部
１２        排気管
１５        人工歯根の位置決め部材
１６、１７  ドリル載置台
２０        紫外線遮断材
３０        人工歯根
３１        電動ドリル
【図１】
2012000120.tif 000003
【図２】
2012000120.tif 000004
【図３】
2012000120.tif 000005
【図４】
2012000120.tif 000006
【図５】
2012000120.tif 000007